(57)【要約】【課題】衛生洗浄装置において、本体側とリモコン側の動作継続時間のずれにより使用者が意図しない動作を防ぐことを目的とする。【解決手段】ボリュームと、複数の機能選択スイッチ１と、前記機能選択スイッチ１を操作したときにはその機能と前記ボリューム２の位置に応じて選択される付加機能とを組合わせたコードを送信し、前記ボリューム２を操作したときには、前記ボリュームの位置に応じて選択される付加機能のみのコードを送信する送信手段１０を有することにより、本体側とリモコン側の動作継続時間のずれにより使用者が意図しない動作を防止する。【選択図】　図１
2004011338.tif 000002
【特許請求の範囲】
【請求項１】
ボリュームと、複数の機能選択スイッチと、前記機能選択スイッチを操作したときにはその機能と前記ボリュームの位置に応じて選択される付加機能とを組合わせたコードを送信し、前記ボリュームを操作したときには、前記ボリュームの位置に応じて選択される付加機能のみのコードを送信する送信手段を有するリモコンを備えた衛生洗浄装置。
【請求項２】
ボリュームと、複数の機能選択スイッチと、前記機能選択スイッチを操作したときにはその機能と前記ボリューム位置に応じて選択される付加機能とを組合わせたコードを送信し、前記ボリュームを操作したときには、直前に操作された機能選択スイッチの機能と前記ボリュームの位置に応じて選択される付加機能とを組合わせたコードを送信する送信手段を有するリモコンと、前記リモコンからのコードを受信し、前記機能選択スイッチの操作で開始した動作を第１の時間ｔ１で自動停止し、自動停止後、第２の時間ｔ２は前記リモコンからのコードを受信しない制御手段を有する本体とから構成された衛生洗浄装置。
【発明の詳細な説明】
【０００１】
【発明の属する技術分野】
本発明は衛生洗浄装置に関するもので、特にリモコンの操作時に送信するコードに関し、操作性を向上するものである。
【０００２】
【従来の技術】
従来の衛生洗浄装置を図５〜７に基づいて説明する。
【０００３】
図５は、衛生洗浄装置のリモコンおよび本体の外観図である。１は機能選択スイッチで、停止スイッチ１ａ、おしりスイッチ１ｂ、ビデスイッチ１ｃで構成されている。２は洗浄強さを設定するためのボリュームで、３は赤外線送信窓である。７は、本体であり、洗浄機能８およびリモコンから送信されたコードを受信するための受信窓９を有している。図６は衛生洗浄装置のリモコンの要部回路図で、マイコン４には、電源を供給する電池５と、機能選択スイッチ１の各スイッチと、ボリューム２と、赤外発光ＬＥＤ６が接続されている。
【０００４】
以下に従来の衛生洗浄装置の動作について説明する。ボリューム２を操作すると、マイコン４への入力電圧が変化し、マイコン４はこの電圧をＡ／Ｄ変換することでボリューム２が選択している洗浄強さ「強」又は「中」又は「弱」を特定する。
【０００５】
おしり洗浄を行うときはリモコンのおしりスイッチ１ｂを押す。ビデ洗浄を行うときはビデスイッチ１ｃを押す。おしり洗浄又はビデ洗浄を途中で停止するときは停止スイッチ１ａを押す。マイコン４は、スイッチ１からの入力により、それぞれに割り当てられた赤外線コードを赤外発光ＬＥＤ６から送信するが、このコードは、「おしり」又は「ビデ」の洗浄機能に加えて洗浄強さの情報も付加して送信する。送信されるコードは「停止」、「おしり弱」、「おしり中」、「おしり強」、「ビデ弱」、「ビデ中」、「ビデ強」の７通りとなる。
【０００６】
ここで、「おしり」又は「ビデ」のコードに、続けて「強」又は「中」又は「弱」のコードを連続して送信することも可能であるが、１回の操作で２つのコードを送信することになるので、コードの全体の長さが長くなるため操作してから受信までのレスポンスが悪くなり、送信電力も増大するので電池駆動のリモコンでは不利となる。従って、前述のように洗浄機能と洗浄強さを組み合わせたコードにより、レスポンスの改善と消費電力を抑える工夫を行っている。なお、赤外線コードは、リモコンの送信窓３から送信され、衛生洗浄装置の本体７の受光窓９で受信することで、本体がリモコンから送信されたコードに応じた動作を行うようになっている。
【０００７】
次に従来の衛生洗浄装置の動作を図７のフローチャートに基づき説明する。
フローＳ１でスイッチが押されると、フローＳ２で押されたスイッチの種類を判断し、「停止」であればフローＳ３で停止コードを送信する。押されたスイッチが「おしり」であればフローＳ４でボリューム２の位置を読み込み、ボリューム２が「中」であれば、フローＳ５ｂでおしり中のコードを送信する。押されたスイッチが「ビデ」であれば、フローＳ６でボリューム２の位置を読み込み、ボリューム２が「中」であれば、フローＳ７ｂでビデ中のコードを送信する。本体側はコード受信により、おしり洗浄又はビデ洗浄を開始するが、安全のため洗浄開始から２分間で自動停止するようになっている。
【０００８】
一方、リモコン側もフローＳ８で洗浄スイッチ１ｂ又は１ｃを押されてから２分経過したかどうかを判断し、２分が経過すればフローＳ９のスリープモードに入る。このモードは、消費電流を抑えて電池の消費を最小限にするモードである。フローＳ８で２分経過していないときはフローＳ１０でボリューム２の操作を監視する。洗浄中に洗浄強さを変更する場合があるからである。ボリューム２の操作がないときはフローＳ８に戻り２分経過を待つ。ボリューム２が操作されて「強」にした場合は、フローＳ１１で洗浄中の機能がおしりかビデかを判断し、「おしり」の場合はフローＳ１２で「おしり強」コードをフローＳ１４ｃで送信する。「ビデ」の場合も同様に「ビデ強」コードをフローＳ１５ｃで送信する。本体は受信したコードに応じ、洗浄強さを変更する。送信後はフローＳ８で、２分経過を待つ。
【０００９】
【発明が解決しようとする課題】
しかしながら、前記従来の構成では、衛生洗浄装置本体側の洗浄が開始してから２分が経過すれば自動停止するが、リモコン側も同じ２分で自動停止するので、全く同時に両方が自動停止すればよいが、リモコン側の動作がわずかでも長い場合には、本体側が洗浄終了後に、リモコンのボリュームを操作すれば、再び洗浄開始してしまうという課題があった。
【００１０】
対策としてリモコン側の自動停止の時間を本体側より短く設定する方法が考えられるが、この場合、本体の自動停止時間が近づくと洗浄強さの変更が出来なくなるという課題があった。また、リモコンと本体の動作時間を同期させるためには双方向通信を行う必要があるが、コスト的にかなり不利となるという課題があった。
【００１１】
本発明は、前記従来の課題を解決するもので、本体側とリモコン側の動作継続時間のずれにより使用者が意図しない動作を防ぐことを目的とする。
【００１２】
【課題を解決するための手段】
前記従来の課題を解決するために、機能選択スイッチを操作したときにはその機能と前記ボリューム位置に応じて選択される付加機能とを組合わせたコードを前記送信装置から送信し、前記ボリュームを操作したときには、前記ボリュームの位置に応じて選択される付加機能のみのコードを送信する構成として、本体側とリモコン側の動作継続時間のずれにより使用者が意図しない動作を防ぐようにした衛生洗浄装置を提供するものである。
【００１３】
また、本体側が、前記機能選択スイッチの操作で開始した動作を所定の時間で自動停止した場合は、所定の時間はリモコン信号を受信しない構成とすることで、本体側とリモコン側の動作継続時間のずれによる使用者が意図しない動作を防ぐようにした衛生洗浄装置を提供するものである。
【００１４】
【発明の実施の形態】
請求項１に記載の発明は、ボリュームと、複数の機能選択スイッチと、前記機能選択スイッチを操作したときにはその機能と前記ボリュームの位置に応じて選択される付加機能とを組合わせたコードを送信し、前記ボリュームを操作したときには、前記ボリュームの位置に応じて選択される付加機能のみのコードを送信する送信手段を有することにより、本体側とリモコン側の動作継続時間のずれにより使用者が意図しない動作を防ぐようにした衛生洗浄装置を提供するものである。
【００１５】
請求項２に記載の発明は、ボリュームと、複数の機能選択スイッチと、送信装置と、前記機能選択スイッチを操作したときにはその機能と前記ボリューム位置に応じて選択される付加機能とを組合わせたコードを送信し、前記ボリュームを操作したときには、直前に操作された機能選択スイッチの機能と前記ボリュームの位置に応じて選択される付加機能とを組合わせたコードを送信する送信手段を有するリモコンと、前記リモコンからのコードを受信し、前記機能選択スイッチの操作で開始した動作を第１の時間ｔ１で自動停止し、自動停止後、第２の時間ｔ２は前記リモコンからのコードを受信しない制御手段を有する本体ろから構成したもので、本体側が自動停止した以降にリモコンからの操作を所定時間禁止することで、本体側とリモコン側の動作継続時間のずれにより使用者が意図しない動作を防ぐようにした衛生洗浄装置を提供するものである。
【００１６】
【実施例】
以下、本発明の実施例について、図１〜４に基づいて説明する。なお、従来例と同じものについては同一符号を付し説明を省略する。
【００１７】
（実施例１）
図１は本発明の実施例１におけるリモコンの要部回路図であり、以下、マイコン１０の動作を図２のフローチャートに基づき説明する。
【００１８】
フローＳ１０１でスイッチが押されると、フローＳ１０２で押されたスイッチの種類を判断し、「停止」であればフローＳ１０３で停止コードを送信する。押されたスイッチが「おしり」であればフローＳ１０４でボリューム２の位置を読み込み、ボリューム２が「中」であれば、フローＳ１０５ｂでおしり中のコードを送信する。押されたスイッチが「ビデ」であれば、フローＳ１０６でボリューム２の位置を読み込み、ボリューム２が「中」であれば、フローＳ１０７ｂでビデ中のコードを送信する。本体側はコード受信により、おしり洗浄またはビデ洗浄を開始するが、安全のため洗浄開始から２分間で自動停止するようになっている。
【００１９】
一方、リモコン側もフローＳ１０８で洗浄スイッチ１ｂ又は１ｃを押されてから２分経過したかどうかを判断し、２分が経過すればフローＳ１０９のスリープモードに入る。このモードは、消費電流を抑えて電池の消費を最小限にするモードである。フローＳ１０８で２分経過していないときはフローＳ１１０でボリューム２の操作を監視する。洗浄中に洗浄強さを変更する場合があるからである。ボリューム２の操作がないときはフローＳ１０８に戻り２分経過を待つ。ボリューム２の操作があった場合、フローＳ１１１でボリュームの位置を読み込み、「強」の場合はフローＳ１１２ｃで「強」のコードをフローＳ１４で送信する。本体は受信したコードに応じ、洗浄強さを変更する。送信後はフローＳ１０８で、２分経過を待つ。
【００２０】
従って、おしり（又はビデ）スイッチを押した場合と、ボリュームだけを回した場合とでリモコンから本体へ送信するコード体系を区別することで、本体側とリモコン側の動作継続時間のずれにより本体側が自動停止しているのにリモコン側が動作を計測しているために、使用者がリモコンの洗浄強さのみを操作しているのに洗浄動作を開始することを防ぐことが容易に可能となり、使い勝手・信頼性の高い衛生洗浄装置を提供することが出来る。
【００２１】
（実施例２）
図３は本発明の実施例２におけるの衛生洗浄装置の本体の外観図で、従来と異なるのは、次に説明する動作を行う制御手段１２を有する点である。以下、図４のフローチャートに基づき制御手段１２の動作を説明する。なお、リモコン及びリモコンの要部回路図は、図５、図６示す従来例と同じである。
【００２２】
フローＳ２０１において本体に通電させると、フローＳ２０２でリモコンからの受信を待ち、受信がなければフローＳ２０２に戻り、受信が有れば、そのコードにより、フローＳ２０３ａ〜Ｓ２０３ｃ、Ｓ２０４ａ〜２０４ｃ、Ｓ２０５へと進む。リモコン信号が「おしり中」の場合、おしり洗浄を洗浄強さ「中」で開始する（この状態を「おしり中」とする、以下同様）。洗浄開始すると、安全のため２分で洗浄を自動停止するため、フローＳ２０５で２分経過を待ち、２分経過すればフローＳ２０６で洗浄を停止し、フローＳ２０７でリモコン受信を禁止する。禁止する時間はフローＳ２０８で３０秒を設定し、３０秒経過を待つ。従ってこのときにリモコンのボリューム２を回して例えば「おしり中」の信号が来ても、洗浄動作を開始することはない。
【００２３】
次に、フローＳ２０８で３０秒が経過すれば通常動作に戻るためフローＳ２０２へ戻りリモコン信号の受信を待つ。フローＳ２０５で洗浄時間が２分を経過していないときは、フローＳ２０９で再度リモコン信号の受信待ちとなり、リモコン信号を受信しなければフローＳ２０５の洗浄時間の２分経過を待つ。リモコンのボリューム２を操作して洗浄強さを「強」にした場合は、フローＳ２１０ｃで、洗浄強さを「強」に変更し、フローＳ２０５の洗浄２分経過待ちをする。
【００２４】
従って、本体側が自動停止した場合は所定の時間リモコン信号を禁止することで本体側とリモコン側の動作継続時間のずれにより本体側が自動停止しているのにリモコン側が動作を継続しているために、使用者がリモコンの洗浄強さのみを操作しているのに洗浄動作を開始することを防ぐことが容易に可能となり、使い勝手・信頼性の高い衛生洗浄装置を提供することが、従来機種とリモコンの互換性を保ちつつ可能になる。
【００２５】
【発明の効果】
以上のように、本発明によれば、本体側とリモコン側の動作継続時間のずれによる使用者が意図しない動作を防ぐことが可能となる。
【図面の簡単な説明】
【図１】本発明の実施例１における衛生洗浄装置のリモコンの要部回路図
【図２】本発明の実施例１における衛生洗浄装置のリモコンの要部フローチャート
【図３】本発明の実施例２における衛生洗浄装置の本体の外観図
【図４】本発明の実施例２における衛生洗浄装置のリモコンの要部フローチャート
【図５】従来の衛生洗浄装置の外観図
【図６】従来の衛生洗浄装置のリモコンの要部回路図
【図７】従来の衛生洗浄装置のリモコンの要部フローチャート
【符号の説明】
１　機能選択スイッチ
２　ボリューム
６　送信手段（マイコン）
１１　本体
１２　制御手段
【図１】
2004011338.tif 000003
【図２】
2004011338.tif 000004
【図３】
2004011338.tif 000005
【図４】
2004011338.tif 000006
【図５】
2004011338.tif 000007
【図６】
2004011338.tif 000008
【図７】
2004011338.tif 000009